【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
入力された画像信号に対して対象画素の周囲の画素を用いた所定の空間処理を行い、処理信号を出力する空間処理部と、
入力された前記画像信号および前記処理信号を入力とし、視覚処理された出力信号を出力する視覚処理部と、
を備え、
前記視覚処理部は、所定の入力範囲において、
前記画像信号の値を所定のレベルに固定した場合に、前記処理信号の値に対して前記出力信号の値が単調減少し、且つ、
前記処理信号の値を所定のレベルに固定した場合に、前記画像信号の値に対して前記出力信号の値が下に凸となる、
ことを特徴とする処理特性を有する、
視覚処理装置。
【請求項２】
入力された画像信号に対して対象画素の周囲の画素を用いた所定の空間処理を行い、処理信号を出力する空間処理部と、
入力された前記画像信号および前記処理信号を入力とし、視覚処理された出力信号を出力する視覚処理部と、
を備え、
前記視覚処理部は、所定の入力範囲において、
前記画像信号の値を所定のレベルに固定した場合に前記処理信号の値に対して前記出力信号の値が単調減少し、且つ、
前記処理信号の値を所定のレベルに固定した場合に前記画像信号の値が増大するに従い前記画像信号の値に対する前記出力信号の値の比が増大する、
ことを特徴とする処理特性を有する、
視覚処理装置。
【請求項３】
前記空間処理部は、前記対象画素の周囲の画素の画素値に基づいてアンシャープ信号を生成する、
請求項１または請求項２に記載の視覚処理装置。
【請求項４】
前記空間処理部は、前記対象画素の周囲の画素の画素レベルを代表する処理信号を出力する、
請求項１または請求項２のいずれか一つに記載の視覚処理装置。
【請求項５】
前記処理信号は、前記対象画素の周囲の画素の平均値、最大値あるいは最小値のいずれかである、
請求項４に記載の視覚処理装置。
【請求項６】
前記画像信号および前記処理信号および前記出力信号は明度を示す信号である、
請求項１から５のいずれか１項に記載の視覚処理装置。
【請求項７】
前記視覚処理部は、所定の入力範囲において、
前記画像信号の値を所定のレベルに固定した場合に、前記処理信号の値に対して前記出力信号の値が単調減少し、かつ、
前記処理信号の値を所定のレベルに固定した場合に、前記画像信号の値に対して前記出力信号の値が下に凸となり、かつ
前記画像信号と前記処理信号の値とが同じ値である場合に前記画像信号の値に対する前記出力信号の値が上に凸となる、
ことを特徴とする処理特性を有する、
請求項１に記載の視覚処理装置。
【請求項８】
前記視覚処理部は、所定の入力範囲において、
前記画像信号の値を所定のレベルに固定した場合に、前記処理信号の値に対して前記出力信号の値が単調減少し、かつ、
前記処理信号の値を所定のレベルに固定した場合に、前記画像信号の値に対して前記出力信号の値が下に凸となり、かつ、
前記画像信号と前記処理信号の値とが同じ値である場合に前記画像信号の値に対する前記出力信号の値が比例する、
ことを特徴とする処理特性を有する、
請求項１に記載の視覚処理装置。
【請求項９】
前記視覚処理部は、前記処理信号の値を所定のレベルに固定した場合に、前記画像信号の値に対して前記出力信号の値が下に凸となる度合いを、変換特性指定信号により決定する、
請求項１、７、８のいずれか１項に記載の視覚処理装置。
【請求項１０】
前記視覚処理部は、前記画像信号の値と前記処理信号の値とが同じ値である場合に、前記画像信号の値に対して前記出力信号の値が上に凸となる度合いを、変換特性指定信号により決定する、
請求項７に記載の視覚処理装置。
【請求項１１】
前記所定の入力範囲は、前記画像信号の値が大きく前記処理信号の値が小さい部分を含まない、
請求項1から１０のいずれか１項に記載の視覚処理装置。
【請求項１２】
使用者からの入力を受付け前記変換特性指定信号を生成する情報入力部を更に備える、
請求項９または１０に記載の視覚処理装置。
【請求項１３】
前記画像信号の画像特性を判断する画像特性判断部を更に備え、
前記変換特性指定信号は、前記画像特性判断部の判断結果に応じて切り替えられる、
請求項９または１０に記載の視覚処理装置。
【請求項１４】
ユーザを識別するユーザ識別部をさらに備え、
前記変換特性指定信号は、前記ユーザ識別部の識別結果に応じて切り替えられる、
請求項９または１０に記載の視覚処理装置。
【請求項１５】
入力された画像信号に対して対象画素の周囲の画素を用いた所定の空間処理を行い、処理信号を出力する空間処理部と、
入力された前記画像信号および前記処理信号を入力とし、視覚処理された出力信号を出力する視覚処理部と、
前記出力信号を表示する表示部と、
を備え、
前記視覚処理部は、所定の入力範囲において、
前記画像信号の値を所定のレベルに固定した場合に、前記処理信号の値に対して前記出力信号の値が単調減少し、且つ、
前記処理信号の値を所定のレベルに固定した場合に、前記画像信号の値に対して前記出力信号の値が下に凸となる、
ことを特徴とする処理特性を有する、
画像表示装置。
【請求項１６】
映像信号を受信する受信部と、
前記映像信号を復号し画像信号を出力する復号部と、
前記画像信号に対して対象画素の周囲の画素を用いた所定の空間処理を行い、処理信号を出力する空間処理部と、
前記画像信号および前記処理信号を入力とし、視覚処理された出力信号を出力する視覚処理部と、
前記出力信号を表示する表示部と、
を備え、
前記視覚処理部は、所定の入力範囲において、
前記画像信号の値を所定のレベルに固定した場合に、前記処理信号の値に対して前記出力信号の値が単調減少し、且つ、
前記処理信号の値を所定のレベルに固定した場合に、前記画像信号の値に対して前記出力信号の値が下に凸となる、
ことを特徴とする処理特性を有する、
テレビジョン。
【請求項１７】
映像信号を受信する受信部と、
前記映像信号を復号し画像信号を出力する復号部と、
前記画像信号に対して対象画素の周囲の画素を用いた所定の空間処理を行い、処理信号を出力する空間処理部と、
前記画像信号および前記処理信号を入力とし、視覚処理された出力信号を出力する視覚処理部と、
前記出力信号を表示する表示部と、
を備え、
前記視覚処理部は、所定の入力範囲において、
前記画像信号の値を所定のレベルに固定した場合に、前記処理信号の値に対して前記出力信号の値が単調減少し、且つ、
前記処理信号の値を所定のレベルに固定した場合に、前記画像信号の値に対して前記出力信号の値が下に凸となる、
ことを特徴とする処理特性を有する、
携帯情報端末。
【請求項１８】
画像を行う撮影して画像信号を生成する撮影部と、
前記画像信号に対して対象画素の周囲の画素を用いた所定の空間処理を行い、処理信号を出力する空間処理部と、
前記画像信号および前記処理信号を入力とし、視覚処理された出力信号を出力する視覚処理部を備え、
前記視覚処理部は、所定の入力範囲において、
前記画像信号の値を所定のレベルに固定した場合に、前記処理信号の値に対して前記出力信号の値が単調減少し、且つ、
前記処理信号の値を所定のレベルに固定した場合に、前記画像信号の値に対して前記出力信号の値が下に凸となる、
ことを特徴とする処理特性を有する、
カメラ。
【請求項１９】
入力された画像信号に対して対象画素の周囲の画素を用いた所定の空間処理を行い、処理信号を出力する空間処理ステップと、
入力された前記画像信号および前記処理信号を入力とし、視覚処理された出力信号を出力する視覚処理ステップとを含み、
前記視覚処理部は、所定の入力範囲において、
前記画像信号の値を所定のレベルに固定した場合に、前記処理信号の値に対して前記出力信号の値が単調減少し、且つ、
前記処理信号の値を所定のレベルに固定した場合に、前記画像信号の値に対して前記出力信号の値が下に凸となる、
ことを特徴とする処理特性を有する、
視覚処理方法。
【請求項２０】
画像出力装置に用いられる集積回路であって、
入力された画像信号に対して対象画素の周囲の画素を用いた所定の空間処理を行い、処理信号を出力する空間処理ステップと、
入力された前記画像信号および前記処理信号を入力とし、視覚処理された出力信号を出力する視覚処理ステップと、
を実行し、
前記視覚処理は、所定の入力範囲において、
前記画像信号の値を所定のレベルに固定した場合に、前記処理信号の値に対して前記出力信号の値が単調減少し、且つ、
前記処理信号の値を所定のレベルに固定した場合に、前記画像信号の値に対して前記出力信号の値が下に凸となる、
ことを特徴とする処理特性を有する、
集積回路。
【請求項２１】
コンピュータにより視覚処理を行う画像処理プログラムであって、
入力された画像信号に対して対象画素の周囲の画素を用いた所定の空間処理を行い、処理信号を出力する空間処理ステップと、
入力された前記画像信号および前記処理信号を入力とし、視覚処理された出力信号を出力する視覚処理ステップとを含む視覚処理方法をコンピュータに行わせるものであり、
前記視覚処理部は、所定の入力範囲において、
前記画像信号の値を所定のレベルに固定した場合に、前記処理信号の値に対して前記出力信号の値が単調減少し、且つ、
前記処理信号の値を所定のレベルに固定した場合に、前記画像信号の値に対して前記出力信号の値が下に凸となる、
ことを特徴とする処理特性を有する、
画像処理プログラム。